(57)【要約】【課題】グランド面の実効的なサイズを大きくすることができ、アンテナの特性を向上することができると共に、小型化を図ることができるアンテナシステム等を提供する。【解決手段】  アンテナシステム１００は、チップアンテナ１１と、グランド面１２と、ＲＦコネクタ１３と、チップコイル１４とから構成されている。ＲＦコネクタ１３のグランド端子１３ｂとグランド面１２との間にチップコイル１４が設けられ、このチップコイル１４によりＲＦコネクタ１３のグランド端子１３ｂとグランド面１２とが電気的に接続される。これにより、送受信する際に、グランド面１２への電流は比較的に長い経路を経過することになるため、グランド面１２の実効的なサイズを大きくすることができる。その結果、グランド面１２のサイズが変化してもその変化の割合は、チップコイル１４のないものに比べて小さくなり、アンテナの特性の変化を抑えることができる。【選択図】        図１
2005229212.tif 000002
【特許請求の範囲】
【請求項１】
放射導体と、該放射導体に給電するための給電部とを有し、不平衡回路を介して給電されるアンテナシステムにおいて、
上記給電部のグランド端子とグランド面との間にチップコイルが設けられ、
上記チップコイルにより上記給電部のグランド端子とグランド面とが電気的に接続される
ことを特徴とするアンテナシステム。
【請求項２】
上記給電部のグランド端子とグランド面との間に上記チップコイルと直列に接続されるミアンダ構造の導体を更に備え、
上記給電部のグランド端子とグランド面とは、上記チップコイルと上記ミアンダ構造の導体により電気的に接続される
ことを特徴とする請求項１に記載のアンテナシステム。
【請求項３】
上記チップコイルによって誘起される磁界の方向がその近傍にある金属面に対して平行であるように、上記チップコイルが配置される
ことを特徴とする請求項１に記載のアンテナシステム。
【請求項４】
放射導体と、該放射導体に給電するための給電部とを有し、不平衡回路を介して給電されるアンテナシステムにおいて、
上記給電部のグランド端子が接続されるグランド面の一部がミアンダ構造となっている
ことを特徴とするアンテナシステム。
【請求項５】
放射導体と、該放射導体に給電するための給電部とを有し、不平衡回路を介して給電されるアンテナシステムにおいて、
上記給電部のグランド端子が接続される第１のグランド面と、該第１のグランド面と離れている第２のグランド面とがヘリカル構造の導体で接続される
ことを特徴とするアンテナシステム。
【請求項６】
上記ヘリカル構造の導体は、チップコイルである
ことを特徴とする請求項５に記載のアンテナシステム。
【請求項７】
ヘリカル構造の導体によって誘起される磁界の方向がその近傍にある金属面に対して平行であるように、上記ヘリカル構造の導体が配置される
ことを特徴とする請求項５に記載のアンテナシステム。
【発明の詳細な説明】
【技術分野】
【０００１】
この発明は、不平衡回路を介して給電されるアンテナシステムに関する。詳しくは、給電部のグランド端子とグランド面との間にチップコイルが設けられ、該チップコイルにより上記給電部のグランド端子とグランド面とが接続される構成とし、または、給電部のグランド端子が接続されるグランド面の一部がミアンダ構造となっている構成とし、または、給電部のグランド端子が接続される第１のグランド面と、該第１のグランド面と分離される第２のグランド面とがヘリカル構造の導体で接続される構成とすることによって、グランド面の実効的なサイズを大きくすることができ、アンテナの特性を向上することができると共に、小型化を図ることができるようにしたアンテナシステムに係るものである。
【背景技術】
【０００２】
移動体通信機等に用いられる小型のアンテナシステムとしては、従来から種々の構成のものが提案され用いられている。そのような小型のアンテナシステムとして良く知られるのは、チップアンテナを用いたものと逆Ｆアンテナを用いたものがある。
【０００３】
図９は、チップアンテナを用いたアンテナシステムの例を示す図である。このアンテナシステム１は、実質的に４分の１波長の電気長の放射導体とセラミックなどの誘電体材料で構成したチップアンテナに不平衡回路を介して給電されるアンテナシステムの例である。
【０００４】
図９に示すように、アンテナシステム１は、チップアンテナ２と、ＲＦコネクタ３と、グランド面４と備えている。チップアンテナ２はＲＦコネクタ３に接続され、ＲＦコネクタ３の信号端子３ａはＲＦ回路に接続される。ＲＦコネクタ３のグランド端子３ｂは実装基板のグランド面４に接続される。
【０００５】
また、図１０は、逆Ｆアンテナを用いたアンテナシステムの例を示す図である。このアンテナシステム１Ａは、平面型逆Ｆアンテナを用いた不平衡回路を介して給電されるアンテナシステムの例である。
【０００６】
図１０に示すように、逆Ｆアンテナ１Ａは、放射導体部５ａと短絡導体部５ｂと給電部５ｃとから成る放射素子（励振素子）５と、グランド面６と、放射素子５の給電部５ｃへ給電するための給電点となるＲＦコネクタ７とから構成されている。放射素子５はＲＦコネクタ７を介して給電される。この場合、ＲＦコネクタ７の信号端子７ａはＲＦ回路に接続される。ＲＦコネクタ７のグランド端子７ｂは実装基板のグランド面６に接続される。
【０００７】
このような構成の逆Ｆアンテナは、給電点の位置を変えることで、この給電点に接続される同軸線路等の給電線と放射素子５とのインピーダンス整合が取れるように工夫されたものである。
【０００８】
また、小型化するために、複共振の表面実装型アンテナが提案されている（例えば、特許文献１参照）。
【０００９】
この場合、表面実装アンテナは給電放射電極と無給電放射電極が互いに併設されている。また、給電端子とグランド短路端子が互いに間隔を介して近隣併設されており、給電端子から分岐してグランドに接続する導電パターンが形成されており、この導電パターンにはインダクタンス成分付加用パターンであるミアンダ状パターンが介設されている。このミアンダ状パターンは整合回路の電極パターンとして機能を有するものである。このミアンダ状パターンを形成すことによって、給電放射電極の電流大領域からミアンダ状パターンとグランドと無給電放射電極のグランド短路端子を介して電流大領域に至る電流経路が構成されるとなる。
【００１０】
このミアンダ状パターンのミアンダライン間隔やミアンダ本数やミアンダライン細さ等を変化させて該ミアンダ状パターンのインダクタンス成分の大きさを可変調整し、これにより、給電放射電極の電流大領域からミアンダ状パターンとグランドと無給電放射電極のグランド短路端子を介して電流大領域に至る電流経路の流通電流量を可変調整することによって、等価的に上述の２つの電流大領域間の磁界結合量を可変調整することができる。
【００１１】
【特許文献１】特開２００１−２８４９５４号公報（第５，６頁、第１図）
【発明の開示】
【発明が解決しようとする課題】
【００１２】
しかしながら、近年、移動通信端末の普及により無線通信装置本体の小型化、およびアンテナ素子の小型化が進められた。このような小型のチップアンテナ等の実質的に４分の１波長の電気長の放射導体を持つアンテナは、実装基板のグランド面にも電流を流し、基板自体もアンテナの一部として動作させるため、基板形状によってアンテナの特性が大きく変化する。
【００１３】
また、上述したグランドがアンテナに一体化された逆Ｆアンテナ等においても、そのグランド部分の形状や大きさが変わることでアンテナの特性が変化する。そのため、基板のレイアウトが変わることにアンテナの再調整が必要になるという問題があった。
【００１４】
また、一般に基板のグランドが小さくなるにつれてアンテナの利得は低下する。しかしレイアウトの都合でグランドを大きくとることができない場合も多く、この場合、アンテナの利得を十分に高めることができないという問題があった。
【００１５】
また、特許文献１の場合、ミアンダ状パターンを設けることで、良好な共振状態を得ることができるが、アンテナの特性を低下させることなく、小型化を図ることは解決されなかった。
【００１６】
そこで、この発明は、グランド面の実効的なサイズを大きくすることができ、アンテナの特性を向上することができると共に、小型化を図ることができるようにしたアンテナシステムを提供することを目的とする。
【課題を解決するための手段】
【００１７】
この発明に係るアンテナシステムは、放射導体と、該放射導体に給電するための給電部とを有し、不平衡回路を介して給電されるアンテナシステムにおいて、給電部のグランド端子とグランド面との間にチップコイルが設けられ、該チップコイルにより給電部のグランド端子とグランド面とが電気的に接続されるものである。
【００１８】
例えば、給電部のグランド端子とグランド面との間にチップコイルと直列に接続されるミアンダ構造の導体を更に備え、給電部のグランド端子とグランド面とは、チップコイルとミアンダ構造の導体により電気的に接続されるようになされる。
【００１９】
また例えば、チップコイルによって誘起される磁界の方向がその近傍にある金属面に対して平行であるように、チップコイルが配置される。
【００２０】
また、この発明に係るアンテナシステムは、放射導体と、該放射導体に給電するための給電部とを有し、不平衡回路を介して給電されるアンテナシステムにおいて、給電部のグランド端子が接続されるグランド面の一部がミアンダ構造となっているものである。
【００２１】
また、この発明に係るアンテナシステムは、放射導体と、該放射導体に給電するための給電部とを有し、不平衡回路を介して給電されるアンテナシステムにおいて、給電部のグランド端子が接続される第１のグランド面と、該第１のグランド面と離れている第２のグランド面とがヘリカル構造の導体で接続されるものである。例えば、ヘリカル構造の導体は、チップコイルである。
【００２２】
この発明においては、給電部のグランド端子とグランド面との間にチップコイルが設けられ、該チップコイルにより給電部のグランド端子とグランド面とが電気的に接続されることで、送受信する際に、グランド面への電流は比較的に長い経路を経過することになる。または、給電部のグランド端子が接続されるグランド面の一部がミアンダ構造となっている。または、給電部のグランド端子が接続される第１のグランド面と、該第１のグランド面と分離される第２のグランド面とがヘリカル構造の導体で接続されるようになされる。
【００２３】
これにより、グランド面の実効的なサイズを大きくすることができ、アンテナの特性を向上することが可能となる。また、グランド部を小さくしても、アンテナの特性を低下させることなく、アンテナシステムおよびそれを用いる装置の小型化を図ることが可能となる。
【００２４】
また、チップコイルを交換することで、アンテナシステムの特性を簡単に調整することが可能となる。
【発明の効果】
【００２５】
この発明によれば、不平衡回路を介して給電されるアンテナシステムにおいて、給電部のグランド端子とグランド面との間にチップコイルが設けられ、該チップコイルにより上記給電部のグランド端子とグランド面とが接続される構成とし、または、給電部のグランド端子が接続されるグランド面の一部がミアンダ構造となっている構成とし、または、給電部のグランド端子が接続される第１のグランド面と、該第１のグランド面と分離される第２のグランド面とがヘリカル構造の導体で接続されるものであり、これにより、グランド面の実効的なサイズを大きくすることができ、アンテナの特性を向上することができると共に、小型化を図ることができる。
【発明を実施するための最良の形態】
【００２６】
以下、図面を参照しながら、この発明の実施の形態のアンテナシステムについて説明する。
【００２７】
図１は、本発明の第１の実施の形態のアンテナシステム１００の構成を示す図である。図１に示すように、アンテナシステム１００は、チップアンテナ１１と、グランド面１２と、給電部としてのＲＦコネクタ１３と、チップコイル１４とから構成されている。
【００２８】
チップアンテナ１１は、セラミックなどの誘電体材料からなる基体とその表面あるいは内部に設けられる実質的に４分の１波長の電気長の放射導体で構成されている。このチップアンテナ１１は、不平衡回路を介して給電されるアンテナである。
【００２９】
グランド面１２は、受信回路などが配置される基板上に形成されている。アンテナシステム１００を用いて送受信する際に、このグランド面１２にも電流を流し、アンテナの一部として動作する。グランド面１２の大きさおよび形状は、アンテナシステム１００の特性に影響する。
【００３０】
ＲＦコネクタ１３は、信号端子１３ａと、グランド端子１３ｂとを有し、同軸ケーブルによりアンテナとＲＦ回路（送受信回路）とを接続するためのコネクタである。ＲＦ回路はこのＲＦコネクタ１３を介してチップアンテナ１１に給電する。
【００３１】
チップコイル１４は、その表面あるいは内部にヘリカル状に折りたたまれた導体を持つものである。ここで、ヘリカル状の導体は立体的なつるまき線や二次元の渦巻き状にしたものが考えられる。また、チップコイル１４は、例えば、巻線タイプ、積層タイプ、フィルムタイプなどがある。
【００３２】
また、図１に示すように、チップコイル１４は、ＲＦコネクタ１３のグランド端子１３ｂとグランド面１２との間に配置されている。チップコイル１４を基板に流れる電流の大きい部分に設けることで、グランド面１２の実効的なサイズを大きくするにはより効果的である。このチップコイル１４を設けることにより基板上のグランド面１２を小さくしても、アンテナの特性の変化を抑えることが可能となる。
【００３３】
このように本実施の形態においては、アンテナシステム１００は、ＲＦコネクタ１３のグランド端子１３ｂとグランド面１２との間にチップコイル１４が設けられ、このチップコイル１４によりＲＦコネクタ１３のグランド端子１３ｂとグランド面１２とが電気的に接続される。
【００３４】
これにより、送受信する際に、グランド面への電流は比較的に長い経路を経過することになるため、グランド面１２の実効的なサイズを大きくすることができる。その結果、グランド面のサイズが変化してもその変化の割合は、チップコイル１４のないものに比べて小さくなり、アンテナの特性の変化を抑えることができる。即ち、チップコイル１４を設けることによりアンテナの特性を向上することができると共に、アンテナシステム１００の小型化を図ることができる。
【００３５】
また、チップコイル１４を交換することで、アンテナシステム１００の特性を簡単に調整することができる。
【００３６】
次に、図２を参照しながら、この発明の第２の実施の形態について説明する。
【００３７】
図２は、本発明の第２の実施の形態のアンテナシステム２００の構成を示す図である。アンテナシステム２００は、逆Ｆアンテナに適用した例である。
【００３８】
図２に示すように、アンテナシステム２００は、放射導体部２１ａと短絡導体部２１ｂと給電部２１ｃとから成る放射素子２１と、グランド面２２と、放射素子２１の給電部２１ｃへ給電するための給電点となるＲＦコネクタ２３と、チップコイル２４とから構成されている。
【００３９】
このアンテナシステム２００は、給電点の位置を変えることで、この給電点に接続される同軸線路等の給電線と放射素子２１とのインピーダンス整合が取れるように工夫されたものである。
【００４０】
放射素子２１は、基板の表面に形成された逆Ｆ形状アンテナパターンによって構成される。グランド面２２は、放射素子２１と同一基板上に形成されている。アンテナシステム２００を用いて送受信する際に、このグランド面２２にも電流を流し、アンテナの一部として動作する。グランド面２２の大きさおよび形状は、アンテナシステム２００の特性に影響する。
【００４１】
ＲＦコネクタ２３は、信号端子２３ａと、グランド端子２３ｂとを有し、同軸ケーブルによりアンテナとＲＦ回路（送受信回路）とを接続するためのコネクタである。ＲＦ回路はこのＲＦコネクタ２３を介して放射素子２１に給電する。
【００４２】
チップコイル２４は、その表面あるいは内部にヘリカル状に折りたたまれた導体を持つものである。ここで、ヘリカル状の導体は立体的なつるまき線や二次元の渦巻き状にしたものが考えられる。また、チップコイル２４は、例えば、巻線タイプ、積層タイプ、フィルムタイプなどがある。
【００４３】
また、チップコイル２４は、図２に示すように、ＲＦコネクタ２３のグランド端子２３ｂとグランド面２２との間に配置されている。チップコイル２４を基板に流れる電流の大きい部分に設けることで、グランド面２２の実効的なサイズを大きくするにはより効果的である。このチップコイル２４を設けることにより基板上のグランド面２２を小さくしても、アンテナの特性の変化を抑えることが可能となる。
【００４４】
このように本実施の形態においては、アンテナシステム２００は、ＲＦコネクタ２３のグランド端子２３ｂとグランド面２２との間にチップコイル２４が設けられ、このチップコイル２４によりＲＦコネクタ２３のグランド端子２３ｂとグランド面２２とが電気的に接続される。
【００４５】
これにより、送受信する際に、グランド面への電流は比較的に長い経路を経過することになるため、グランド面の実効的なサイズを大きくすることができる。その結果、グランド面のサイズが変化してもその変化の割合は、チップコイル２４のないものに比べて小さくなり、アンテナの特性の変化を抑えることができる。即ち、チップコイル２４を設けることによりアンテナの特性を向上することができると共に、アンテナシステム２００の小型化を図ることができる。
【００４６】
また、チップコイル２４を交換することで、アンテナシステム２００の特性を簡単に調整することができる。
【００４７】
図３は、本発明の第３の実施の形態のアンテナシステム３００の構成を示す図である。この図３において、図１と対応する部分には、同一符号を付し、その詳細説明は省略する。
【００４８】
図３に示すように、アンテナシステム３００は、チップアンテナ１１と、グランド面１２と、給電部としてのＲＦコネクタ１３と、チップコイル１４と、ミアンダ構造１５とから構成されている。
【００４９】
ミアンダ構造１５は、基板上に形成されるジグザグに折れ曲がったパターンである。このミアンダ構造１５は、ＲＦコネクタ１３のグランド端子１３ｂとグランド面１２との間に形成されており、チップコイル１４と直列に接続されている。また、チップコイル１４とミアンダ構造１５により、ＲＦコネクタ１３のグランド端子１３ｂとグランド面１２とが電気的に接続される。
【００５０】
このように本実施の形態においては、アンテナシステム３００は、ＲＦコネクタ１３のグランド端子１３ｂとグランド面１２との間にチップコイル１４とミアンダ構造１５が設けられ、このチップコイル１４およびミアンダ構造１５によりＲＦコネクタ１３のグランド端子１３ｂとグランド面１２とが電気的に接続される。
【００５１】
これにより、送受信する際に、グランド面への電流は比較的に長い経路を経過することになるため、グランド面１２の実効的なサイズを大きくすることができる。その結果、グランド面１２のサイズが変化してもその変化の割合は、チップコイル１４およびミアンダ構造１５のないものに比べて小さくなり、アンテナの特性の変化を抑えることができる。即ち、チップコイル１４およびミアンダ構造１５を設けることによりアンテナの特性を向上することができると共に、アンテナシステム３００の小型化を図ることができる。
【００５２】
また、チップコイル１４を交換することで、アンテナシステム３００の特性を簡単に調整することができる。
【００５３】
図４は、本発明の第４の実施の形態のアンテナシステム４００の構成を示す図である。この図４において、図１と対応する部分には、同一符号を付し、その詳細説明は省略する。
【００５４】
図４に示すように、アンテナシステム４００は、チップアンテナ１１と、グランド面１２と、給電部としてのＲＦコネクタ１３と、ミアンダ構造１５Ａとから構成されている。
【００５５】
アンテナシステム４００において、ミアンダ構造１５Ａはグランド面１２に設けられる。この例では、ミアンダ構造１５Ａは基板上に形成されるパターンであり、グランド面１２の最端部に設けられている。なお、ミアンダ構造１５Ａは基板上に形成されるパターンに限定されるものではない。また、ミアンダ構造１５Ａはグランド面１２の他の位置に設けてもよい。
【００５６】
このように本実施の形態においては、アンテナシステム４００は、グランド面１２にミアンダ構造１５Ａが設けられる。これにより、グランド面１２の実効的なサイズを大きくすることができる。その結果、グランド面１２のサイズが変化してもその変化の割合は、ミアンダ構造１５Ａのないものに比べて小さくなり、アンテナの特性の変化を抑えることができる。即ち、ミアンダ構造１５Ａを設けることによりアンテナの特性を向上することができると共に、アンテナシステム４００の小型化を図ることができる。
【００５７】
図５は、本発明の第５の実施の形態のアンテナシステム５００の構成を示す図である。アンテナシステム５００は、逆Ｆアンテナに適用した例である。この図５において、図２と対応する部分には、同一符号を付し、その詳細説明は省略する。
【００５８】
図５に示すように、アンテナシステム５００は、放射導体部２１ａと短絡導体部２１ｂと給電部２１ｃとから成る放射素子２１と、グランド面２２と、放射素子２１の給電部２１ｃへ給電するための給電点となるＲＦコネクタ２３と、ミアンダ構造パターン２５とから構成されている。
【００５９】
アンテナシステム５００において、ミアンダ構造２５はグランド面２２に設けられる。この例では、ミアンダ構造２５は基板上に形成されるパターンであり、グランド面２２の最端部に設けられている。なお、ミアンダ構造２５は基板上に形成されるパターンに限定されるものではない。また、ミアンダ構造２５はグランド面２２の他の位置に設けてもよい。
【００６０】
このように本実施の形態においては、アンテナシステム５００は、グランド面２２にミアンダ構造２５が設けられる。これにより、グランド面２２の実効的なサイズを大きくすることができる。その結果、グランド面２２のサイズが変化してもその変化の割合は、ミアンダ構造２５のないものに比べて小さくなり、アンテナの特性の変化を抑えることができる。即ち、ミアンダ構造２５を設けることによりアンテナの特性を向上することができると共に、アンテナシステム５００の小型化を図ることができる。
【００６１】
図６は、本発明の第４の実施の形態のアンテナシステム６００の構成を示す図である。この図６において、図１と対応する部分には、同一符号を付し、その詳細説明は省略する。
【００６２】
図６に示すように、アンテナシステム６００は、チップアンテナ１１と、グランド面１２Ａと、グランド面１２Ｂと、給電部としてのＲＦコネクタ１３と、チップコイル１４とから構成されている。
【００６３】
アンテナシステム６００において、チップコイル１４は、グランド面１２Ａとグランド面１２Ｂの間に設けられる。この例では、チップコイル１４は、グランド面１２Ａの最端部に設けられているが、これに限定されるものではない。チップコイル１４はグランド面１２Ａの他の位置に設けてもよい。
【００６４】
このように本実施の形態においては、アンテナシステム６００は、グランド面１２Ａとグランド面１２Ｂの間にチップコイル１４が設けられる。これにより、グランド面１２Ａ，１２Ｂの実効的なサイズを大きくすることができる。その結果、グランド面のサイズが変化してもその変化の割合は、チップコイル１４のないものに比べて小さくなり、アンテナの特性の変化を抑えることができる。即ち、チップコイル１４を設けることによりアンテナの特性を向上することができると共に、アンテナシステム６００の小型化を図ることができる。
【００６５】
また、チップコイル１４を交換することで、アンテナシステム６００の特性を簡単に調整することができる。
【００６６】
図７は、本発明の第７の実施の形態のアンテナシステム７００の構成を示す図である。この図７において、図１と対応する部分には、同一符号を付し、その詳細説明は省略する。
【００６７】
図７に示すように、アンテナシステム７００は、チップアンテナ１１と、グランド面１２と、給電部としてのＲＦコネクタ１３と、チップコイル１４とから構成されている。
【００６８】
このアンテナシステム７００において、チップコイル１４はＲＦコネクタ１３のグランド端子１３ｂとグランド面１２との間に設けられ、かつ、このチップコイル１４は自身が誘起される磁界の方向が近傍にあるＲＦコネクタ１３の金属面に対して平行になるように配置されている。
【００６９】
図８は、巻線タイプチップコイルによって励起される磁界を示す図である。周知のように、ヘリカル構造の導体に電流が流れると、導線の螺旋の軸と平行に磁界が誘起される。この磁界が近傍にある金属面と垂直に交わると、磁界を打ち消す効果によりアンテナの特性が劣化する。ここで、ヘリカル構造の導体の近傍に存在する金属としては、同軸ケーブルに接続するためのＲＦコネクタ等が挙げられる。
【００７０】
図８に示すように、巻線タイプのチップコイル１４に対して、位置Ｂに設置されたＲＦコネクタ１３よりも位置Ａに配置されたＲＦコネクタ１３のほうがアンテナの特性に与える影響が小さい。従って、上述した図７に示すように、チップコイル１４によって誘起される磁界の方向が近傍にあるＲＦコネクタ１３の金属面に対して平行になるように、チップコイル１４が配置されることが望ましい。
【００７１】
このように本実施の形態においては、アンテナシステム７００は、ＲＦコネクタ１３のグランド端子１３ｂとグランド面１２との間にチップコイル１４が設けられ、このチップコイル１４によりＲＦコネクタ１３のグランド端子１３ｂとグランド面１２とが電気的に接続され、かつ、チップコイル１４によって誘起される磁界の方向が近傍にあるＲＦコネクタ１３の金属面に対して平行になるように、チップコイル１４が配置される。
【００７２】
これにより、送受信する際に、グランド面１２への電流は比較的に長い経路を経過することになるため、グランド面１２の実効的なサイズを大きくすることができる。その結果、グランド面１２のサイズが変化してもその変化の割合は、チップコイル１４のないものに比べて小さくなり、アンテナの特性の変化を抑えることができる。即ち、チップコイル１４を設けることによりアンテナの特性を向上することができると共に、アンテナシステム７００の小型化を図ることができる。
【００７３】
また、チップコイル１４の近傍にあるＲＦコネクタ１３等の金属面によりアンテナの特性に与える影響を抑えることができる。また、チップコイル１４を交換することで、アンテナシステム７００の特性を簡単に調整することができる。
【００７４】
なお、上述実施の形態においては、チップコイル１４を用いた場合について説明したが、これに限定されるものではない。他のヘリカル構造の導体を用いてもよい。
【００７５】
また、上述実施の形態においては、チップアンテナまたは逆Ｆアンテナを用いたアンテナシステムについて説明したが、これに限定されるものではない。他の放射導体と、該放射導体に給電するための給電部とを有し、不平衡回路を介して給電されるアンテナシステムにもこの発明を適用できる。
【産業上の利用可能性】
【００７６】
以上のように、この発明に係るアンテナシステムは、不平衡回路を介して給電されるアンテナシステムを備える送受信装置、特に小型、軽量、かつ高性能であることを要求される無線端末等の通信装置に適用できる。
【図面の簡単な説明】
【００７７】
【図１】第１の実施の形態のアンテナシステムの構成例を示す図である。
【図２】第２の実施の形態のアンテナシステムの構成例を示す図である。
【図３】第３の実施の形態のアンテナシステムの構成例を示す図である。
【図４】第４の実施の形態のアンテナシステムの構成例を示す図である。
【図５】第５の実施の形態のアンテナシステムの構成例を示す図である。
【図６】第６の実施の形態のアンテナシステムの構成例を示す図である。
【図７】第７の実施の形態のアンテナシステムの構成例を示す図である。
【図８】巻線タイプチップコイルによって励起される磁界を示す図である。
【図９】従来のチップアンテナを用いたアンテナシステムの構成例を示す図である。
【図１０】従来の逆Ｆアンテナを用いたアンテナシステムの構成例を示す図である。
【符号の説明】
【００７８】
１１・・・チップアンテナ、１２，１２Ａ，１２Ｂ，２２・・・グランド面、１３，２３・・・ＲＦコネクタ、１３ａ，２３ａ・・・信号端子、１３ｂ，２３ｂ・・・グランド端子、１４，２４・・・チップコイル、１５，１５Ａ，２５・・・ミアンダ構造、２１・・・放射素子、２１ａ・・・放射導体部、２１ｂ・・・短絡導体、２１ｃ・・・給電部、１００，２００，３００，４００，５００，６００，７００・・・アンテナシステム
【図１】
2005229212.tif 000003
【図２】
2005229212.tif 000004
【図３】
2005229212.tif 000005
【図４】
2005229212.tif 000006
【図５】
2005229212.tif 000007
【図６】
2005229212.tif 000008
【図７】
2005229212.tif 000009
【図８】
2005229212.tif 000010
【図９】
2005229212.tif 000011
【図１０】
2005229212.tif 000012